(57)【要約】【課題】  圃場の状態や広さによって、歩行して作業を行ったり、座席に座って作業を行ったりでき、効率よく作業が行える管理作業機を提供することを目的とする。【解決手段】  機体後部に連結部を設けて、車輪及び座席を有し、前方に向かって連結棒を延設して形成した乗用部を、連結部に着脱自在に取り付け、乗用部を機体に対して上下及び左右に回動自在に構成すると共に、油圧シリンダによって上下方向の任意の回動位置で保持し、シリンダの伸縮を制御する操作部を機体を操向するハンドルに設けた。また、乗用部の後方に肥料等を散布する散布機を接続可能に構成した。【選択図】図１
2006254845.tif 000002
【特許請求の範囲】
【請求項１】
機体に搭載したエンジンによって、前後位置に配置した走行輪とロータリ作業機とを駆動し、ハンドルによって操向する管理作業機において、
機体後部に横軸部を設け、連結ロッドの一端をこの横軸部を介して機体に取り付けて上下に回動可能に構成すると共に、保持手段を設けて連結ロッドを任意の回動位置で保持可能に構成し、連結ロッドの他端には縦軸部を設ける一方、
車輪及び座席を設けると共に、前方に向かって連結棒を延設して乗用部を形成し、この連結棒の先端を上記縦軸部に着脱自在に取り付けると共に左右に回動自在に構成した事を特徴とする管理作業機。
【請求項２】
前記保持手段は、油圧シリンダの一端を機体後部に取り付け、他端を連結ロッド又は縦軸部に取り付けて構成され、シリンダの伸縮を制御する操作部を前記ハンドルに設けたことを特徴とする請求項１記載の管理作業機。
【請求項３】
前記乗用部は取付け部を有し、これに散布機を着脱可能に構成したことを特徴とする請求項１記載の管理作業機。
【請求項４】
前記散布機は、被散布物を貯留するホッパと、このホッパの下端に設けられるシャッタを車輪の回転に従って開閉する開閉機構と、このシャッタを閉鎖状態に保つ閉鎖手段とを備え、上記閉鎖手段を前記座席の近傍に臨ませた事を特徴とする請求項３記載の管理作業機。
【発明の詳細な説明】
【技術分野】
【０００１】
本発明は、作物の条間を進行しながら表土を耕耘することで除草を行なう管理作業機に関するものである。
【背景技術】
【０００２】
畝間の土壌を耕耘することにより土壌の通気性及び排水性を向上するとともに雑草を防除する、いわゆる中耕除草は管理作業機を用いて行なわれている。この作業は、作物によっては年に数回行なわれ、作物の栽培の全作業時間に占める中耕除草作業の作業時間の割合も大きい。
【０００３】
管理作業機による中耕除草作業は作業時間の短縮と労働負荷の軽減に有効である。管理作業機には、畝間を走行し、車軸と耕耘軸とを共有する小型の歩行型のものや、四輪で畝を跨いで走行する乗用型のものなど多くの種類がある。
【０００４】
乗用の管理作業機では狭い圃場に入れない場合があったり、小回りが利かないため畝に乗り上げて畝をつぶしたり、作物を荒らしたりしてしまうことがあり、歩行型の管理作業機で広い圃場の作業をするのには多くの労力を要することになるため、比較的狭い圃場では小回りの利く小型の管理作業機が用いられる一方、広い圃場においては乗用型の管理作業機が用いられている。
【０００５】
作業者は、狭い圃場と広い圃場とのそれぞれにおいて、歩行型の管理作業機と乗用の管理作業機とを使い分けることになるが、小型の歩行型管理作業機と乗用の管理作業機との２台の管理作業機を保有するのは無駄が生じるし、メンテナンスなどの維持管理をするのにコストがかかる。
【発明の開示】
【発明が解決しようとする課題】
【０００６】
本発明は、圃場の状態や広さによって、歩行して作業を行ったり、座席に座って作業を行ったりでき、効率よく作業が行える管理作業機を提供することを目的とする。
【課題を解決するための手段】
【０００７】
上記課題を解決するために、請求項１記載のごとく、機体に搭載したエンジンによって、前後位置に配置した走行輪とロータリ作業機とを駆動し、ハンドルによって操向する管理作業機において、機体後部に横軸部を設け、連結ロッドの一端をこの横軸部を介して機体に取り付けて上下に回動可能に構成すると共に、保持手段を設けて連結ロッドを任意の回動位置で保持可能に構成し、連結ロッドの他端には縦軸部を設ける一方、車輪及び座席を設けると共に、前方に向かって連結棒を延設して乗用部を形成し、この連結棒の先端を上記縦軸部に着脱自在に取り付けると共に左右に回動自在に構成した事を特徴とする管理作業機を提供する。
【０００８】
請求項２記載のごとく、前記保持手段は、油圧シリンダの一端を機体後部に取り付け、他端を連結ロッド又は縦軸部に取り付けて構成され、シリンダの伸縮を制御する操作部を前記ハンドルに設けたことを特徴とする管理作業機を提供する。
【０００９】
請求項３記載のごとく、前記乗用部は取付け部を有し、これに散布機を着脱可能に構成したことを特徴とする管理作業機を提供する。
【００１０】
請求項４記載のごとく、前記散布機は、被散布物を貯留するホッパと、このホッパの下端に設けられるシャッタを、車輪の回転に従って開閉する開閉機構と、このシャッタを閉鎖状態に保つ閉鎖手段とを備え、上記閉鎖手段を前記座席の近傍に臨ませた事を特徴とする管理作業機を提供する。
【発明の効果】
【００１１】
請求項１記載のごとく、機体後方に連結ロッドを介して座席部を着脱自在に取り付け、乗用部を上下及び左右に回動自在に構成すると共に上下方向の任意の回動位置で保持可能に構成したことにより、歩行型の管理作業機に簡便に座席を取り付けて、上下方向の任意の回動位置で保持してロータリ作業機の耕耘深さを調節し、ハンドルで左右に自在に旋回して作業を楽に能率よく行える乗用型の管理作業機とすることができる。
【００１２】
請求項２記載のごとく、保持手段を油圧シリンダで構成し、シリンダの伸縮を制御する操作部をハンドルに設けたことにより、座席に座ったままで任意の回動位置に保持してロータリ作業機の耕耘深さを簡易に調節することができる。
【００１３】
請求項３記載のごとく、乗用部に肥料を散布する散布機を着脱可能に構成したことにより、畝間を耕耘すると共に施肥をすることができて、作業時間を大幅に短縮することができる。
【００１４】
請求項４記載のごとく、散布機のホッパ下端に設けたシャッタを車輪の回転に従って開閉させる一方、散布機のシャッタを閉鎖状態に保つ閉鎖手段を座席の近傍に臨ませたことにより、この閉鎖手段を座席に座ったままで簡便に作動させることができて、座席に座ったまま所望の位置でシャッタを開閉して散布作業を行うことができる。
【発明を実施するための最良の形態】
【００１５】
以下、図面を参照して本発明の詳細について述べる。図１は本発明に係る管理作業機１の全体側面図である。
【００１６】
管理作業機１は、機体２にエンジン３を備え、このエンジン３によって走行輪４を駆動すると共に、走行輪４の後方に設けたロータリ作業機５を回転駆動し、ハンドル６によって操向して作業を行う。機体２の後部には連結部１０が設けられ、この連結部１０を介して乗用部２０が機体２に連結されている。また、ロータリ作業機５の後方には尾輪９が設けられている。
【００１７】
連結部１０は、機体２に固設された支柱１１と、この支柱１１に取り付けられる連結ロッド１２と、支柱１１及び連結ロッド１２の両方に取り付けられる油圧シリンダ１３とにより構成されている。支柱１１は上端に横軸１４を有する略Ｔ字型でその下端を機体２に固設される。連結ロッド１２は一端に横軸連結部１５を有し、支柱１１の横軸１４にその横軸連結部１５を取り付けて、上下に回動自在に形成される。連結ロッド１２の自由端側には縦軸連結部１６を設ける。
【００１８】
油圧シリンダ１３は、一端を支柱１１の下端部に取り付け、他端を連結ロッド１２の自由端側に取り付ける。機体２には油圧ポンプ７が設けられており、この油圧ポンプ７を油圧シリンダ１３に接続して油圧により伸縮させる。油圧ポンプ７を制御する操作部８は、ハンドル６に設けられる。
【００１９】
乗用部２０は、座席２１と、この座席２１を支持する車輪２２と、乗用部２０を機体２に設けられた連結部１０と連結する連結桿２３とにより構成されている。連結桿２３の先端には縦軸１７が設けられており、この縦軸１７を縦軸連結部１６に取り付けて乗用型の管理作業機１を構成する。縦軸１７は縦軸連結部１６と連結自在で、また、乗用部２０は縦軸１７を軸として機体２に対して左右に回動可能に構成されている。
【００２０】
次に、管理作業機１の動作について説明する。図１は走行や旋回をする状態における管理作業機１を示しており、ロータリ作業機５は上方に持上げられている。作業者がハンドル６に設けられた操作部８を操作することにより、機体２に設けられた油圧ポンプ７によって油圧シリンダ１３が延伸した状態になり、機体２と乗用部２０との位置が相対的に変化してロータリ作業機５が下がり、管理作業機１は図２に示す中耕作業状態になる。このとき、尾輪９によってロータリ作業機５の下死点を調節する。
【００２１】
上記のごとく構成した管理作業機１は、縦軸連結部１６に縦軸１７を連結することにより機体２に乗用部２０を簡便に連結して、狭い畝間を歩行する労力を要せず、また広い圃場であっても楽に作業することができる。また、ハンドル６に操作部８が設けられていることにより座席に座ったままで油圧シリンダ１３を伸縮してロータリ作業機５の耕耘深さを調節することができ、縦軸１７で乗用部が左右に回動することにより旋回する際の回転半径が小さく、畝を崩したり作物を踏み荒らしたりすることがなく、座席に座ったままで作業時と走行時とを移行でき、作業を楽に能率よく行なうことができる。
【００２２】
本発明において、ロータリ作業機５は走行輪４の後方に設けられているが、ロータリ作業機５を走行輪４の前方に設けた、いわゆるフロントロータリ型であってもよい。このとき、管理作業機１は、油圧ポンプ１３が延伸した状態でフロントロータリが持ち上がり、油圧ポンプ１３を収縮するとフロントロータリが下がって中耕作業状態になる。
【００２３】
次に、管理作業機１の別の実施形態について説明する。図３は管理作業機の別の実施形態を示す全体側面図である。
【００２４】
本実施形態において、乗用部２０には取付け部２４が設けられ、この取付け部２４には散布機３０が取り付けられている。散布機３０は、転動する車輪３１と、被散布物を貯留するホッパ３２と、ホッパ３２の下端に設けられたシャッタ（図示せず）を車輪３１の回転に従って開閉する開閉機構３３と、シャッタを閉鎖状態で保持する閉鎖手段３４と、取付け部２４に接続される取付け腕３５とにより構成されている。
【００２５】
開閉機構３３は、ギアやカムなどの機械要素により構成され、車輪３１の回転を動力源としてシャッタを間欠的に開放する。また、閉鎖手段３４は棒状で一端を開閉機構３３と接続し、他端側を乗用部２０の連結桿２３に沿って座席２１の前方に配置する。この棒状の閉鎖手段３４を下方に押込むことにより車輪３１の回転が開閉機構３３に伝達しないようにしたり、開閉機構３３の開放動作がシャッタに伝達しないようにしたりしてシャッタを開放しないように構成し、閉鎖手段３４を下方に押込んで連結桿２３に設けられた係止部２５に係止固定すると、シャッタ３３は閉鎖した状態に保持される。
【００２６】
上記のごとく構成した管理作業機は、乗用部の後方に肥料等を散布する散布機を着脱可能に構成し、ホッパ下端に設けたシャッタを閉鎖状態に保つ閉鎖手段を座席の近傍に設けたことにより、畝間を耕耘すると共に、座席に座ったまま所望の位置において散布機のシャッタを間欠的に開放させて肥料等を散布することができ、作業時間を大幅に短縮することができる。
【図面の簡単な説明】
【００２７】
【図１】本発明に係る管理作業機の全体側面図
【図２】管理作業機の作業状態を示す全体側面図
【図３】管理作業機の別の実施形態を示す全体側面図
【符号の説明】
【００２８】
１    管理作業機
２    機体
３    エンジン
４    走行輪
５    ロータリ作業機
６    ハンドル
７    油圧ポンプ
８    操作部
９    尾輪
１０  連結部
１１  支柱
１２  連結ロッド
１３  油圧シリンダ
１４  横軸
１５  横軸連結部
１６  縦軸連結部
１７  縦軸
２０  乗用部
２１  座席
２２  車輪
２３  連結桿
２４  取付け部
２５  係止部
３０  散布機
３１  車輪
３２  ホッパ
３３  開閉機構
３４  閉鎖手段
３５  取付け腕
【図１】
2006254845.tif 000003
【図２】
2006254845.tif 000004
【図３】
2006254845.tif 000005